(57)【要約】【課題】額縁に差し込まれる写真などを前面で差し替えできるようにした額縁フレームを提供する。【解決手段】一定した軌道をもって回動する蓋フレームの一端がベースフレームの一端部にヒンジ回転するように構成するに際して、回動される蓋フレームがベースフレームに収納された板バネを押圧する場合、板バネの上下移動時に発生する騒音を除去するとともに、このような板バネを蓋フレームとベースフレームとが結合されるとき、同時に嵌めこまれるようにして容易に組立可能にする。【選択図】図２
2007268238.tif 000002
【特許請求の範囲】
【請求項１】
ベースフレームのリブがはめ込まれる凹部を有する蓋フレームのカムがベースフレームの収納室に収められた板バネを押圧しながら開閉されるようになっており、前記板バネは両端に折曲部によって折り曲げられることを特徴とする額縁フレーム。
【請求項２】
前記板バネの折曲部は、中央に開口部が形成されていることを特徴とする請求項１に記載の額縁フレーム。
【請求項３】
前記折曲部は環状部からなることを特徴とする請求項１又は２に記載の額縁フレーム。
【発明の詳細な説明】
【技術分野】
【０００１】
本発明は、額縁の骨組みを構成するフレームに関し、特に掲示物を額縁が壁面に取り付けられたまま前面で差し替えできるようにすることで差し替え作業の便宜性を向上させ、また折畳式の蓋フレームが折り重ねられる場合に押圧される板バネにおける騒音除去をはかるとともに、板バネをベースフレームと蓋フレームとの間に容易に組立可能にした額縁のフレームに関する。
【背景技術】
【０００２】
従来の技術による前面で掲示物を差し替えるための額縁は、図１Ａ及び図１Ｂに示したように、ベースフレーム１００、１００ａ及び蓋フレーム２００、２００ａを長手方向に分割してその一端をヒンジ結合させた状態で組立した額縁であって、前記のような額縁を壁面などに取り付けたまま蓋フレーム２００、２００ａを開けて掲載された掲示物の交換を行うことで差し替え作業を容易にした、改良された額縁型広告装置のフレームが開発された（例えば、下記の特許文献１参照）。
【０００３】
しかし、前述した方法による額縁型広告装置のフレームの場合は、分割されてヒンジ結合されたベースフレーム１００、１００ａと蓋フレーム２００、２００ａとの結合部位において、開閉状態を保つために平板状のバネ３００ａ或いはＣ字形バネ３００が複数個設置されるが、平板状のバネ３００ａは長手方向に力が作用するので、折り畳み時にその作動が不便で且つ力が要り、また開閉時にベースフレーム１００ａと蓋フレーム２００ａとの挿着部位で摩擦による不快な金属摩擦音が発生するという短所があり、特にＣ字形バネ３００の場合は、ベースフレーム１００と蓋フレーム２００とのヒンジ結合部にそれぞれ突設されている係止突起１１０、２１０に係止するための係止爪３１０を設けなければならないため、製造工程が複雑であり、更に製作時間及び製造コストが上昇するという問題点がある。
【０００４】
また、前記した平板状のバネ３００ａ或いはＣ字形バネ３００をベースフレーム１００、１００ａ及び蓋フレーム２００、２００ａに結合させるためには、それに伴う空間が確保されなければならず、形状加工に当たって高さの制約があり、結合作業が不便で且つ手数がかかり、また着脱のための別途の道具が必要となり、よって生産性の低下及び製造コストの上昇を招くという問題点がある。
【特許文献１】韓国実用新案登録第２０−１５１１１６号
【発明の開示】
【発明が解決しようとする課題】
【０００５】
したがって、本発明は、上記のような従来の問題点を解決するために考案されたもので、その目的は、一定した軌道をもって回動する蓋フレームの一端がベースフレームの一端部に形成された板バネの収納室に収められた折り曲げられた板バネの折曲面に接触したまま回動されることにより、板バネの作動時の反発力を最小化して小さな力でも確実に開閉でき、板バネの収納がベースフレームの断面で行われるようにしてバネの収納に必要な空間をなくすことで材料の節約をはかるとともに、額縁が壁面などに取り付けられる場合、その突出の程度を最小化した額縁フレームを提供することである。
【０００６】
本発明の他の目的は、このような板バネを結合するとき、もしくは板バネが押圧されるとき板バネの両端の鋭さによって発生する騒音を最小化し、これと同時に組立の便宜性を提供することである。
【課題を解決するための手段】
【０００７】
上記目的を達成するために、本発明による額縁フレームは、ベースフレームのリブがはめ込まれる凹部を有する蓋フレームのカムがベースフレームの収納室に収められた板バネを押圧しながら開閉されるようになっており、前記板バネは両端に折曲部によって折り曲げられることを特徴とする。
【発明の効果】
【０００８】
本発明による額縁フレームは、その作動が確実で、組立が簡便であるので、製作にかかる人件費及び材料費を節減することにより、製造コストを低減し、生産性を高めることができるという効果があり、更に壁面などに取り付けるとき、その突出程度を減らすことができるので、蓋フレームを多様な形態に製作でき、このため掲示物の種類によって選択の幅を広めることができるという効果があり、更に折り畳み時に滑らかになって使用の便宜性を向上させることができる。
【発明を実施するための最良の形態】
【０００９】
以下、添付図面を参照して本発明による好適な実施形態を詳細に説明する。
【００１０】
本発明による額縁フレームは、図２から図５に示すように、ベースフレーム１０のリブ１１がはめ込まれる凹部２１を有する蓋フレーム２０のカム２２がベースフレーム１０の収納室１２に両端が密着されながら、中央部が膨らんでいる形態で収められた板バネ３０を押圧しながら蓋フレーム２０が折り畳み自在に開閉されるように構成されている。
【００１１】
この際、ベースフレーム１０の収納室１２に装着される板バネは、リブ１１の形態に応じて板バネが密着される底面が異なるようになり、例えばリブ１１が折り曲げられた状態で存在する場合は、板バネは収納室の側面１２ｂに密着される。
【００１２】
本発明では、リブ１１が直立された状態であるため、底面１２ａに密着して結合される。
【００１３】
また、凹部２１を有するカム２２の折り曲がり状態に応じて、板バネ３０が収納室１２に装着される状態も異なるようになる。
【００１４】
そして、板バネ３０が底面１２ａに装着されるとき、リブ１１が形成されている壁面の上端にはほぼ直交するように板バネ３０の揺れ防止のための揺れ止め１３を形成するとともに、他側壁の上面には所定の高さを有する掲示物据え置き台１４を形成することにより透明板からなる掲示物ガイドが位置づけられるように隆起している。
【００１５】
更に、ベースフレーム１０の収納室１２の一端に形成されたリブ１１に外接してはめ込まれる凹部２１を有する蓋フレーム２０の他端には、掲載された掲示物を覆って保護するガラスなどと共に固定させる掲示物支持具２３が折曲形成されている。
【００１６】
このとき、前記板バネ３０は、収納室１２の前端或いは後端からはめ込まれ、所定の深さまで押し出せばよく、このとき板バネ３０が湾曲するように膨らんだ形態を取ると、その両端の切断面３１が刃３２をつけた状態で収納室１２にはめられることにより、この際切断面の刃３２によって騒音などが発生するので、両端を折り曲げて折曲部３３を設け、このように折曲部３３によって形成される切断面３４にはその中央を開口させて開口部３５を設けることで、収納室の底面と密着される部分の摩擦力を最小化しながら、折曲部３３によって騒音発生が解消されるようにしている。
【００１７】
また、前記折曲部３３を、図５に示すように、折曲部３３の先端を内側や外側へ巻き取って環状部３６を設けることによって、割り合い大きな幅を有する板バネ３０が用いられる場合、板バネ３０とカム２０との線接触のため生じられる板バネ３０のねじれ現象を防止することができる。
【００１８】
尚、図４Ａに示すように、小さな幅を有する板バネ３０を互いに重畳させると、大きな幅を有する板バネを代替できる。
【００１９】
また、前記凹部２１の外周面には所定の高さだけカム２２が突起し、前記カム２２は湾曲した板バネ３０と点接触することで、組み立てられた蓋フレーム２０を開閉するとき、板バネ３０に働く力を一点に集中させることで、小さな力でも前記板バネ３０の弾性力を克服できるようになって、軽快に開閉させることができるようになる。
【００２０】
前述のように構成される本発明の額縁フレームは、掲載される掲示物の規格によって切断されて、両端にコーナーブラケット（図示せず）などによって螺合されることで、額縁の形態を有するようになり、掲載された掲示物を差し替えようとする場合は、蓋フレーム２０をめくって掲示物の差し替えを行った後、更に閉めればよい。
【図面の簡単な説明】
【００２１】
【図１】図１Ａは、従来の額縁フレームを示す構成断面図であり、図１Ｂは、改良された従来の額縁フレームを示す構成断面図である。
【図２】本発明による額縁フレームを示す分解斜視図である。
【図３】本発明による板バネが結合された状態を示す透視図である。
【図４】本発明による板バネが重畳された状態を示す透視図である。
【図５】図５Ａは、本発明による板バネの他の構造を示す斜視図であり、図５Ｂは、本発明による板バネのまた他の構造を示す斜視図である。
【図６】本発明の作動状態を示す斜視図である。
【符号の説明】
【００２２】
１０  ベースフレーム
２０  蓋フレーム
３０  板バネ
３１  切断面
３２  刃
３３  折曲部
３４  折曲面
３５  開口部
３６  環状部
【図１ａ】
2007268238.tif 000003
【図１ｂ】
2007268238.tif 000004
【図２】
2007268238.tif 000005
【図３】
2007268238.tif 000006
【図４】
2007268238.tif 000007
【図５ａ】
2007268238.tif 000008
【図５ｂ】
2007268238.tif 000009
【図６】
2007268238.tif 000010